(57)【特許請求の範囲】
【請求項１】
粉塵を吸引する吸気装置と、
該吸気装置によって吸込口から吸引される塵埃を収納するタンクと、
該タンク内の水位を検出する水面検出手段と、
前記吸気装置の運転・停止を指示するＯＮ／ＯＦＦスイッチとを有し、
前記タンク内の水位が予め定めた閾値を超えたときに、運転状態にある前記吸気装置を停止状態にする集塵機において、
前記ＯＮ／ＯＦＦスイッチがＯＮ状態で、前記吸気装置が運転状態にあるとき、前記タンク内の水位が予め定めた閾値を越えた状態で一定時間経過後に前記吸気装置が停止状態とし、前記タンク内の水位が予め定めた閾値を超えた状態で、前記ＯＮ／ＯＦＦスイッチをＯＮ状態としたとき、前記吸気装置が運転状態とならないようにする制御手段を設けたことを特徴とする集塵機。
【請求項２】
前記水面検出手段を一対の電極で構成したことを特徴とする請求項１に記載の集塵機。  
【請求項３】
粉塵と空気を分離するフィルタ装置を前記タンク内に設け、前記一対の電極を前記フィルタ装置よりも下方に設けたことを特徴とする請求項２に記載の集塵機。  
【請求項４】
前記吸気装置の運転・停止を指示するＯＮ／ＯＦＦスイッチと、該ＯＮ／ＯＦＦスイッチがＯＮ状態のときに前記吸気装置を運転状態とする手段を備えた制御回路とを設け、前記制御手段を前記制御回路で構成したことを特徴とする請求項１〜３の何れかに記載の集塵機。
【請求項５】
前記タンク内の水位が予め定めた閾値を超えたときに警告を発する警告手段を設けたことを特徴とする請求項１〜４の何れかに記載の集塵機。
【請求項６】
粉塵を吸引する吸気装置と、
該吸気装置によって吸込口から吸引される塵埃を収納するタンクと、
該タンク内の水位を検出する水面検出手段と、
該水面検出手段の検出信号による前記吸気装置の運転の可否を判断する可否判断手段を有する集塵機において、
前記吸気装置が運転状態のときと、該吸気装置が停止状態のときで、異なる可否判断手段を設けたことを特徴とする集塵機。
【発明の詳細な説明】
【技術分野】
【０００１】
本発明は、丸鋸やジグソー等の木材切断用電動工具や、ハンマードリルや石材カッター等のコンクリートや石材への穴あけや切断、研磨等に用いられる電動工具の切削粉塵や研削粉塵を水と共に吸引して分離するための乾湿両用の集塵機に関するものである。
【背景技術】
【０００２】
丸鋸やジグソー等の木材切断用電動工具や、ハンマードリルや石材カッター等のコンクリートや石材への穴あけや切断、研磨等に用いられる電動工具の切削粉塵や研削粉塵を集塵するための集塵機は、微細な粉塵と空気とを分離するための目の細かいフィルタを用いているが、フィルタが水に浸ると目詰まりしてその機能を失う。
【０００３】
一方、ハンマードリルや石材カッター等のコンクリートや石材への穴あけや切断、研磨等の作業では、切削粉塵の飛散防止や刃物の冷却のために切削箇所に水を滴下させたり、被切削材を水で洗浄することが行われる。このため、乾いた粉塵も水を含んだ粉塵も吸引する乾湿両用の集塵機では、フィルタが水に浸らないように、フィルタが水に浸る直前の位置に一対の電極を設けて電極間に電圧を印加し、水溶液の導電性により電流が流れることを利用し、電極間の電流が予め設定した値以上になったときに吸気装置を停止する水面検出機能を設けている。
【０００４】
上記水面検出機能を備えた集塵機においては、タンク内の底部に或る程度の水が溜まると、集塵機本体を動かしたときにタンク内の水が波打ち、電極間に短時間だけ電流が流れる現象が発生するため、１秒前後以上の時間に亘って電流が流れたときに吸気装置を停止し、一旦水位検出機能が動作すると、集塵機のＯＮ／ＯＦＦスイッチをＯＦＦしない限り集塵機として動作しない構成が採用されている。
【０００５】
ところで、特許文献１には、乾湿両用掃除機において、フロートスイッチの誤動作を防ぐために、有底筒状のフロートスイッチ装着体の先端部にフロートスイッチのスイッチ部を内設するとともに、フロートを昇降自在に外設する構成が提案されている。
【０００６】
又、特許文献２には、フィルタに目詰まりが生じた場合に除塵装置を自動で運転してフィルタの除塵を行う集塵機が提案されている。
【特許文献１】特開平５−２２８０７６号公報
【特許文献２】特開２００７−２４５０１９号公報
【発明の開示】
【発明が解決しようとする課題】
【０００７】
しかし、乾いた粉塵も水を含んだ粉塵も吸引する従来の乾湿両用の集塵機では、タンク内に水が許容量溜まったために水面検出機能が動作した後、ＯＮ／ＯＦＦスイッチをＯＦＦしてＯＮにすると、１秒前後の時間は吸気装置が運転状態になり、ＯＮ／ＯＦＦスイッチのＯＦＦとＯＮを繰り返すと吸気装置が運転され続けてタンク内に徐々に水を吸い込み、フィルタが水に浸ってしまうという問題があった。
【０００８】
又、タンク内に水が許容量溜まったために吸気装置が停止したとき、使用者は、何が原因で吸気装置が停止したかが分からない場合があった。
【０００９】
本発明は上記問題に鑑みてなされたもので、その目的とする処は、タンクに水が許容量溜まった後はＯＮ／ＯＦＦスイッチをＯＦＦにしてＯＮにしても吸気装置が運転状態になることがなく、吸気装置が運転され続けたためにタンク内に徐々に水が吸い込まれてフィルタが水に浸ってしまうという不具合を解消することができる集塵機を提供することにある。
【課題を解決するための手段】
【００１０】
上記目的を達成するため、請求項１記載の発明は、
粉塵を吸引する吸気装置と、
該吸気装置によって吸込口から吸引される塵埃を収納するタンクと、
該タンク内の水位を検出する水面検出手段と、
前記吸気装置の運転・停止を指示するＯＮ／ＯＦＦスイッチとを有し、
前記タンク内の水位が予め定めた閾値を超えたときに、運転状態にある前記吸気装置を停止状態にする集塵機において、
前記タンク内の水位が予め定めた閾値を超えた状態で、前記ＯＮ／ＯＦＦスイッチをＯＮ状態としたとき、前記吸気装置が運転状態とならないようにする制御手段を設けたことを特徴とする。
【００１１】
また、本発明は、前記ＯＮ／ＯＦＦスイッチがＯＮ状態で、前記吸気装置が運転状態にあるとき、前記タンク内の水位が予め定めた閾値を越えた状態で一定時間経過後に前記吸気装置が停止状態となることを特徴とする。
【００１２】
請求項２記載の発明は、請求項１に記載の発明において、前記水面検出手段を一対の電極で構成したことを特徴とする。
【００１３】
請求項３記載の発明は、請求項２に記載の発明において、粉塵と空気を分離するフィルタ装置を前記タンク内に設け、前記一対の電極を前記フィルタ装置よりも下方に設けたことを特徴とする。
【００１４】
請求項４記載の発明は、請求項１〜３の何れかに記載の発明において、前記吸気装置の運転・停止を指示するＯＮ／ＯＦＦスイッチと、該ＯＮ／ＯＦＦスイッチがＯＮ状態のときに前記吸気装置を運転状態とする手段を備えた制御回路とを設け、前記制御手段を前記制御回路で構成したことを特徴とする。
【００１５】
請求項５記載の発明は、請求項１〜４の何れかに記載の発明において、前記タンク内の水位が予め定めた閾値を超えたときに警告を発する警告手段を設けたことを特徴とする。
【００１６】
請求項６記載の発明は、
粉塵を吸引する吸気装置と、
該吸気装置によって吸込口から吸引される塵埃を収納するタンクと、
該タンク内の水位を検出する水面検出手段と、
該水面検出手段の検出信号による前記吸気装置の運転の可否を判断する可否判断手段を有する集塵機において、
前記吸気装置が運転状態のときと、該吸気装置が停止状態のときで、異なる可否判断手段を設けたことを特徴とする。
【発明の効果】
【００１７】
請求項１記載の発明によれば、予め定めた閾値以上の水位までタンク内に水か溜まることを防ぐことができ、吸気装置が運転され続けたためにタンク内に徐々に水が吸い込まれてフィルタが水に浸ってしまうという不具合が解消される。
【００１８】
また、本発明の別の特徴によれば、吸気装置が停止するまでに一定時間を設けたため、タンク内の水位が瞬間的に閾値を超えてしまった場合の誤作動を防ぐことができる。  
【００１９】
請求項２に記載の発明によれば、フロート式等の機械的な方式に対してゴミ等による誤作動を抑制することができる。
【００２０】
請求項３に記載の発明によれば、フィルタが水に濡れるのを防ぐことができる。  
【００２１】
請求項４に記載の発明によれば、機械的な制御手段を設けなくて済み、装置をコンパクトに構成することができる。  
【００２２】
請求項５に記載の発明によれば、吸気装置が停止した原因がタンク内に水が許容量溜まったことであることを使用者に知らせることができる。
【００２３】
請求項６に記載の発明によれば、水面検出手段の検出結果に応じて吸気装置の運転の可否を適正に判断することができる。
【発明を実施するための最良の形態】
【００２４】
以下に本発明の実施の形態を添付図面に基づいて説明する。
【００２５】
図１は本発明に係る集塵機の側断面図、図２は同集塵機の制御装置の構成を示すブロック図である。
【００２６】
図１に示すように、集塵機１は、塵埃を収納するための円筒状のタンク２を備えており、このタンク２の側部には吸込口３が開口し、タンク２の上側開口部には、メインモータベース４と一体のメインモータカバー５及びヘッドカバー６がクランプされており、メインモータベース４とメインモータカバー５の間には吸気装置７が内蔵されている。
【００２７】
上記吸気装置７は、吸込ファン８と、該吸込ファン８を回転駆動するメインモータ９で構成されており、メインモータベース４の下部に設けられた吸気口４ａから吸い込まれた空気を排気口４ｂに排気する排気経路をメインモータベース４とメインモータカバー５及びヘッドカバー６で構成している。
【００２８】
前記メインモータカバー５の吸込口３の上に位置する部分には、操作パネル１５と制御回路１４及び絶縁トランス２３が設置されている。そして、図２に示すように、制御回路１４の水面検出回路２８の入力である一対のリード線は、メインモータベース４を貫通してメインモータベース４の下部に設けられた一対の接触子２５ａ，２５ｂに接続されている。
【００２９】
一方、図１に示すように、タンク２の上側開口部とメインモータベース４の間には、フィルタハウジング１１が挟み込まれ固定されており、該フィルタハウジング１１には、塵埃を排除して空気だけを通過させるフィルタ１３と、該フィルタ１３が内部の負圧で潰れないように保持するフィルタカバー１２が取り付けられ、これらのフィルタ１３とフィルタカバー１２はフィルタ装置１０を構成している。
【００３０】
そして、上記フィルタ１３の下方に先端が位置する一対の電極２７ａ，２７ｂは、図２に示すように、フィルタハウジング１１を貫通して該フィルタハウジング１１のメインモータベース４側に設けられた一対の接触子２６ａ，２６ｂに接続されている。
【００３１】
メインモータベース４の下部に設けられた一対の接触子２５ａ，２５ｂとフィルタハウジング１１のメインモータベース４側に設けられた一対の接触子２６ａ，２６ｂは、対向して接触しており、前記一対の電極２７ａ，２７ｂと制御回路１４の水面検出回路２８の入力とを接続している。
【００３２】
ここで、水面検出回路２８の一例を図３に示す。
【００３３】
図３において、ＩＣ１はコンパレータ、Ｒ１，Ｒ２，Ｒ３，Ｒ４，Ｒ５，Ｒ６，Ｒ７は抵抗器、Ｃ１，Ｃ２，Ｃ３はコンデンサである。
【００３４】
コンパレータＩＣ１の電源端子には、ＤＣ電源２４から＋５Ｖが供給されている。ここで、コンデンサＣ２は電源ノイズ防止用である。ＤＣ電源２４から抵抗器Ｒ１とメインモータベース４の下部に設けられた一方の接触子２５ａ及びフィルタハウジング１１のメインモータベース４側に設けられた一方の接触子２６ａを介して一方の電極２７ａにＤＣ電源２４から＋５Ｖの電圧が供給され、他方の電極２７ｂからフィルタハウジング１１のメインモータベース４側に設けられた他方の接触子２６ｂとメインモータベース４の下部に設けられた他方の接触子２５ｂ及び抵抗器Ｒ２を介してＤＣ電源２４のグランドに接続されている。
【００３５】
電極２７ａ，２７ｂ間を流れる電流は、
（５Ｖ−（抵抗器Ｒ１の抵抗値）×（電極間を流れる電流の値））
なる式によって表される電圧に変換されてコンパレータＩＣ１の＋入力に入力される。ここで、抵抗器Ｒ３とコンデンサＣ１はノイズ防止用である。
【００３６】
一方、コンパレータＩＣ１の−入力には、ＤＣ電源２４から供給された＋５Ｖを抵抗器Ｒ４とＲ５で分圧して入力されている。コンパレータＩＣ１の出力は、マイクロコンピュータ２２のデジタル入力ポートＰ０２に入力される。抵抗器Ｒ６は、コンパレータＩＣ１の出力電圧を与えるための抵抗器であり、抵抗器Ｒ７とコンデンサＣ３はノイズ防止用である。
【００３７】
電極２７ａ，２７ｂが水に浸されていないときは、電極２７ａと２７ｂの間は空気やプラスチック等の絶縁体によって絶縁されているため、電極２７ａと２７ｂの間には電流は殆ど流れず、コンパレータＩＣ１の＋入力に約＋５Ｖが入力される。このとき、コンパレータＩＣ１の出力は＋５Ｖである。
【００３８】
双方の電極２７ａ，２７ｂが水に浸されると、水溶液の導電性によって電極２７ａと２７ｂの間に電流が流れ、
（５Ｖ−（抵抗器Ｒ１の抵抗値）×（電極間を流れる電流の値））
なる式によって表される値に変換された電圧がコンパレータＩＣ１の＋入力に入力される。このため、電極２７ａと２７ｂの間に流れる電流が大きいと、コンパレータＩＣ１の＋入力に入力される電圧は低くなる。そして、コンパレータＩＣ１の＋入力に入力される電圧が、ＤＣ電源２４から供給された＋５Ｖを抵抗器Ｒ４とＲ５で分圧して入力されているコンパレータＩＣ１の−入力より低くなると、コンパレータＩＣ１の出力は０Ｖになる。電極２７ａと２７ｂの間に流れる電流は、電極２７ａと２７ｂの間を短絡状態にしたときで１０μＡ程度である。
【００３９】
コンパレータＩＣ１の出力は０Ｖになる電極が水に浸ったかどうかの閾値は、電極２７ａと２７ｂの間に流れる電流が３．３μＡ程度より大きいときになるように抵抗器Ｒ４とＲ５の抵抗値が設定されている。これは電極２７ａ，２７ｂ間の等価抵抗値が１ＭΩ程度に相当する。普通の水道水の電気抵抗率が約０．００４〜０．０１５×１０６
Ω・ｃｍ程度であるため、十分余裕をもった値となっている。尚、水面検出回路２８にはチップ抵抗器やチップコンデンサが使用されている。
【００４０】
図２に示すように、制御回路１４の水面検出回路２８の入力には、入力間にコンデンサ３３とプラス側電極からの入力とプラス電源との間にコンデンサ３４及びマイナス電極からの入力とマイナス電源の間にコンデンサ３５が接続されている。
【００４１】
前記水面検出用電極２７ａ，２７ｂはフィルタ装置１０から露出しているため、作業者がタンク２からメインモータベース４に取り付けられている吸塵装置７等とフィルタ装置１０を取り出してタンク２内の粉塵を廃棄する作業やフィルタ１３の清掃を行うときに水面検出用電極２７ａ，２７ｂに触る場合がある。このとき、人体に帯電していた静電気が水面検出用電極２７ａ，２７ｂに放電される。
【００４２】
通常、乾いた粉塵による帯電防止のため、タンク２や吸込口３、ホース等には導電性の材料が採用され、アースに接続されている。このため、作業者に帯電していた静電気がフィルタ装置１０をタンク２から取り出す作業の際に作業者が水面検出用電極２７ａ，２７ｂに触ったときに放電される場合がある。静電気放電は瞬時に大きなエネルギーで放電し、数ｋＶの放電が生じる場合もある。
【００４３】
水面検出用電極２７ａ，２７ｂに静電気が放電されると、静電気によって生じたパルス状の電流は、例えば、水面検出用電極２７ａに静電気が放電されると、コンデンサ３４を介してプラス電源へ流れ、一方、コンデンサ３３及びコンデンサ３５を介してマイナス電源へ流れる。このため、水面検出回路２８へのパルス状電流の流入は僅かなものになり、水面検出回路２８は、静電気放電によって故障することはなくなる。
【００４４】
水面検出回路２８の入力に３つのコンデンサ３３，３４，３５が無いときには、水面検出用電極２７ａ，２７ｂに静電気が放電されると、静電気によって生じたパルス状の電流は、抵抗器Ｒ１、抵抗器Ｒ２、コンパレータＩＣ１を介してＤＣ電源２４に流れる経路を辿ることになる。このため、チップ抵抗器が用いられ、高抵抗である抵抗器Ｒ１或は抵抗器Ｒ２は、静電気放電のマイグレーションにより劣化し、その抵抗値が変化して水位検出の機能を損なう場合もある。又、コンパレータＩＣ１が故障する場合もある。
【００４５】
制御回路１４は、電源プラグ１６から電源の供給を受け、メインモータ９及び該メインモータ９の運転を駆動するメインモータ駆動回路１９及び絶縁トランス２３に接続されている。絶縁トランス２３の２次側にはＤＣ電源２４が接続されており、該ＤＣ電源２４から電源の供給を受ける制御回路１４は外部電源から絶縁されている。尚、図示しないが、メインモータ駆動回路１９の電力制御素子は、フォトトライアック或はフォトカプラと呼ばれる光絶縁カプラによって電気的絶縁されている。
【００４６】
水面検出用の一対の電極２７ａ，２７ｂは、メインモータベース４の下部に設けられた一対の接触子２５ａ，２５ｂとフィルタハウジング１１のメインモータベース４側に設けた一対の接触子２６ａ，２６ｂを介して水面検出回路２８に接続されている。
【００４７】
コンセント３２は操作パネル１５に取り付けられており、該コンセント３２に流れる電流は、電流検出器３０とコンセント電流検出回路３１によってマイクロコンピュータ２２のアナログ入力ポートＡin１に接続されている。そして、操作パネル１５に取り付けられたコンセント３２に電動工具を接続し、該コンセント３２から電動工具に電源を供給して該電動工具を運転すると、マイクロコンピュータ２２が電動工具を運転したことを感知して集塵機１が自動的に運転状態になり、該電動工具を停止させると、集塵機１を自動的に数秒間運転状態にした後に停止させる連動運転モード機能と、集塵機１の運転状態と停止状態を操作スイッチで切り替えて床掃除を行う単動運転モード機能を持たせている。尚、連動運転モードと単動運転モードの切り替えは単／連動切替スイッチ２９によって行われる。
【００４８】
警告灯２０は、警告灯駆動回路２１によって点灯と消灯或は点滅とマイクロコンピュータ２２の出力ポートＤ１の信号で制御され、電極２７ａ，２７ｂ間に流れる電流が予め定めた閾値を超えたときに警告を発する。
【００４９】
次に、本発明に係る集塵機１の制御動作を図４及び図５に示すフローチャートに基づいて説明する。
【００５０】
電源プラグ１６を電源に接続して制御回路１４に電源が供給され、マイクロコンピュータ２２が動作状態になると、図４に示すように、イニシャライズ処理１００がなされ、レジスタやＲＡＭ、入出力ポート等が初期状態になる。
【００５１】
次に、Ａから始まる指示待ち入力スキャン１１０の処理に入る。
【００５２】
指示待ち入力スキャン１１０の処理では、ＯＮ／ＯＦＦスイッチ１７、水面検出回路２８、単／連動切替スイッチ２９、コンセント電流検出回路３１の状態をスキャンしている。そして、ＯＮ／ＯＦＦスイッチ１７がＯＮで、且つ、水面検出回路２８からの入力が水位検出閾値より小さく、且つ、単／連動切替スイッチ２９がＯＮのとき、Ｂから始まる単動動作処理に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より大きいとき、Ｃから始まる連動動作処理に移行し、ＯＮ／ＯＦＦスイッチ１７がＯＮで、且つ、水面検出回路２８からの入力が１秒を超えて水位検出閾値より大きいときには、Ｄから始まる水位検出処理のＤ１に移行する。尚、図２において、１８はＯＮ／ＯＦＦスイッチ検出開路である。
【００５３】
Ｂから始まる単動動作処理では、メインモータＯＮの処理１２１を行い、Ｂ１から始まる単動入力スキャン１２０の処理に入る。
【００５４】
単動入力スキャン１２０の処理では、ＯＮ／ＯＦＦスイッチ１７、水面検出回路２８、単／連動切替スイッチ２９及びコンセント電流検出回路３１の状態をスキャンしている。そして、ＯＮ／ＯＦＦスイッチ１７がＯＦＦのとき、及び、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より小さいときには、メインモータＯＦＦの処理１２６を行い、Ａから始まる指示待ち入力スキャン１１０の処理に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より大きいときには、Ｃから始まる連動動作処理Ｃ１に推移し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５５】
Ｃから始まる連動動作処理では、メインモータＯＮの処理１３１を行い、Ｃ１から始まる連動入力スキャン１３０の処理に入る。
【００５６】
図５に示す連動入力スキャン１３０の処理では、ＯＮ／ＯＦＦスイッチ１７、水面検出回路２８、単／連動切替スイッチ２９及びコンセント電流検出回路３１の状態をスキャンしている。そして、ＯＮ／ＯＦＦスイッチ１７がＯＦＦのとき、メインモータＯＦＦの処理１４７を行い、Ａから始まる指示待ち入力スキャン１１０の処理に移行し、ＯＮ／ＯＦＦスイッチ１７がＯＮで、且つ、水面検出回路２８からの入力が水位検出閾値より小さく、且つ、単／連動切替スイッチ２９がＯＮのとき、Ｂから始まる単動動作処理Ｂ１に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より小さいときには、５秒タイマＯＮの処理１４１を行い、Ｃ２から始まる５秒運転入力スキャンの処理１４０に移行し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５７】
Ｃ２から始まる５秒運転入力スキャンの処理１４０では、５秒タイマのオーバーフローのチェックと、ＯＮ／ＯＦＦスイッチ１７、水面検出回路２８、単／連動切替スイッチ２９及びコンセント電流検出回路３１の状態をスキャンしている。そして、５秒タイマのオーバーフローが生じたとき、及び、ＯＮ／ＯＦＦスイッチ１７がＯＦＦのとき、メインモータＯＦＦの処理１４７を行い、Ａから始まる指示待ち入力スキャンの処理１１０に移行し、ＯＮ／ＯＦＦスイッチ１７がＯＮで、且つ、水面検出回路２８からの入力が水位検出閾値より小さく、且つ、単／連動切替スイッチ２９がＯＮのときには、Ｂから始まる単動動作処理Ｂ１に移行し、ＯＮ／ＯＦＦスイッチ１７がＯＮで、且つ、水面検出回路２８からの入力が水位検出閾値より小さく、且つ、単／連動切替スイッチ２９がＯＦＦでコンセント電流が閾値より大きいときには、Ｃから始まる連動動作処理Ｃ１に移行し、ＯＮ／ＯＦＦスイッチ１７がＯＮで、且つ、水面検出回路２８からの入力が１秒を超えて水位検出閾値より大きいときには、Ｄから始まる水位検出処理に移行する。
【００５８】
図４に示すＤから始まる水位検出処理では、メインモータＯＦＦの処理１５１を行い、Ｄ１を経て、警告灯点灯の処理１５２を行い、水位検出キースキャン処理１５０に入る。
【００５９】
水位検出キースキャン処理１５０では、ＯＮ／ＯＦＦスイッチ１７がＯＦＦになるまでループを繰り返す。このため、水位検出電極２７ａ，２７ｂを流れる電流が１秒を超えて水位検出閾値より大きい状態になった後は、ＯＮ／ＯＦＦスイッチ１７を一旦ＯＦＦにしないと集塵機１を運転状態にはできない。
【００６０】
ＯＮ／ＯＦＦスイッチ１７がＯＦＦになると、警告灯消灯の処理１５４を行い、Ａから始まる指示待ち入力スキャン処理１１０に移行する。
【００６１】
以上のように、タンク２に溜まった水の量が許容量より少なく、一対の水位検出電極２７ａ，２７ｂ間を流れる電流が１秒を超えて水位検出閾値より大きい状態にならないときには、電源プラグ１６を電源に接続し、ＯＮ／ＯＦＦスイッチ１７をＯＮし、単／連動切替スイッチ２９もＯＮにしたとき、メインモータ９がＯＮとなって集塵機１は運転状態になる。そして、ＯＮ／ＯＦＦスイッチ１７をＯＦＦするか、又は単／連動切替スイッチ２９をＯＦＦにしたとき、メインモータ９がＯＦＦとなって集塵機１は停止状態になる単動運転モードになる。
【００６２】
一方、ＯＮ／ＯＦＦスイッチ１７をＯＮし、単／連動切替スイッチ２９はＯＦＦで、コンセント３２に接続した電動工具を運転したとき、メインモータ９がＯＮとなって集塵機１は運転状態になる。そして、コンセント３２に接続した電動工具の運転を停止させると、集塵機１は５秒程度運転された後に停止する連動運転モードとなる。
【００６３】
単動運転モード及び連動運転モードの双方の運転モードにおいて、メインモータ９がＯＮであって吸気装置７が運転状態のとき、タンクに水が溜まり、水位検出電極２７ａ，２７ｂを流れる電流が１秒を超えて水位検出閾値より大きい状態になったときには、メインモータ９がＯＦＦとなって吸気装置７は停止状態になる。このときは、警告灯２０が点灯し、ＯＮ／ＯＦＦスイッチ１７を一旦ＯＦＦにしないと集塵機１を運転状態にはできない。
【００６４】
而して、ＯＮ／ＯＦＦスイッチ１７がＯＦＦ状態で、Ａから始まる指示待ち入力スキャン処理１１０を行っているときに既に水面検出電極２７ａ，２７ｂが水に浸っているときには、ＯＮ／ＯＦＦスイッチ１７がＯＮになると、ＯＮ／ＯＦＦスイッチ１７がＯＮであるか否かの判別処理１１１で水面検出回路２８の出力が閾値より大きいか否かを判断し、閾値より大きいときは、処理１１３において水面検出回路２８の出力が閾値より大きい時間が１秒を超えたかを判断し、１秒を超えていないときには、ＯＮ／ＯＦＦスイッチ１７がＯＮか否かの判別処理１１１に戻り、ループを繰り返す。
【００６５】
そして、水面検出回路２８の出力が閾値より大きい時間が１秒を超えると、Ｄから始まる水位検出処理Ｄ１に移行し、警告灯点灯処理１５２で警告灯２０を点灯し、水位検出キースキャン処理１５０に入り、ＯＮ／ＯＦＦスイッチ１７がＯＮか否かの判別処理１５３のループに入る。このため、既に水面検出電極２７ａ，２７ｂが水に浸っている状態でＯＮ／ＯＦＦスイッチ１７をＯＮにしても集塵機１が運転状態になることはない。
【００６６】
以上のように、本実施の形態によれば、乾いた粉塵も水を含んだ粉塵も吸引することができる乾湿両用の集塵機１において、電極２７ａ，２７ｂ間に流れる電流が予め定めた閾値を超えた状態でＯＮ／ＯＦＦスイッチ１７を操作しても集塵機１が運転状態にならないようにしたため、タンク２に水が許容量溜まった後はＯＮ／ＯＦＦスイッチ１７をＯＦＦにしてＯＮにしても吸気装置７が運転状態になることがなく、吸気装置７が運転され続けたためにタンク２内に徐々に水が吸い込まれてフィルタ１３が水に浸ってしまうという不具合が解消される。
【００６７】
又、本実施の形態では、電極２７ａ，２７ｂ間に流れる電流が予め定めた閾値を超えたときには警告灯２０が点灯されて警告が発せられるため、使用者は、吸気装置７が停止した原因がタンク２内に水が許容量溜まったことであることを知ることができる。
【図面の簡単な説明】
【００６８】
【図１】本発明に係る集塵機の側断面図である。
【図２】本発明に係る集塵機の制御装置の構成を示すブロック図である。
【図３】本発明に係る集塵機の水位検出回路の一例を示す回路図である。
【図４】本発明に係る集塵機の制御動作を示すフローチャートである。
【図５】本発明に係る集塵機の制御動作を示すフローチャートである。
【符号の説明】
【００６９】
１              集塵機
２              タンク
３              吸込口
４              メインモータベース
４ａ            メインモータベースの吸気口
４ｂ            メインモータベースの排気口
５              メインモータカバー
６              ヘッドカバー
７              吸気装置
８              吸込ファン
９              メインモータ
１０            フィルタ装置
１１            フィルタハウジング
１２            フィルタカバー
１３            フィルタ
１４            制御回路
１５            操作パネル
１６            電源プラグ
１７            ＯＮ／ＯＦＦスイッチ
１８            ＯＮ／ＯＦＦスイッチ検出回路
１９            メインモータ駆動回路
２０            警告灯
２１            警告灯駆動回路
２２            マイクロコンピュータ
２３            絶縁トランス
２４            ＤＣ電源
２５ａ，２５ｂ  接触子
２６ａ，２６ｂ  接触子
２７ａ，２７ｂ  電極
２８            水面検出回路
２９            単／連動切替スイッチ
３０            電流検出器
３１            コンセント電流検出回路
３２            コンセント
３３〜３５      コンデンサ
Ｃ１〜Ｃ３      コンデンサ
ＩＣ１          コンパレータ
Ｒ１〜Ｒ７      抵抗器
【図１】
0005056431.tif 000002
【図２】
0005056431.tif 000003
【図３】
0005056431.tif 000004
【図４】
0005056431.tif 000005
【図５】
0005056431.tif 000006